(57)【要約】  表示装置（１）は、表示画面（１０）を発光させる光源（１２）から離れた位置であって、少なくとも光源（１２）からの光を表示画面（１０）の前面全体に反映させる導光板（１１）の外縁近傍における対向する位置のそれぞれに設けられた、導光板（１１）から発光する光を検出する複数の光検出部（１０１、１０２）を備えている。また、それらの光検出部（１０１、１０２）が検出した光の強度の情報に基づいて表示画面（１０）の表示状態の制御情報を演算する制御情報演算部（１０３）、表示画面（１０）の表示状態を制御する表示状態制御部（１０５）を備えていることを特徴とする。
2014188534.tif 000002
【特許請求の範囲】
【請求項１】
表示画面を発光させる光源から離れた位置であって、少なくとも前記光源からの光を前記表示画面の前面全体に反映させる導光板の外縁近傍における対向する位置のそれぞれに設けられた、前記導光板から発光する光を検出する複数の光検出部と、
前記光検出部それぞれで検出した光の強度の情報に基づいて前記表示画面の表示状態の制御情報を演算する制御情報演算部と、
前記制御情報を用いて前記表示画面の表示状態を制御する表示状態制御部と、
を備えることを特徴とする表示装置。
【請求項２】
前記制御情報演算部は、前記光検出部で検出した光の強度の情報の統計値を示す制御情報を演算する
ことを特徴とする請求項１に記載の表示装置。
【請求項３】
前記統計値は前記光検出部それぞれで検出した光の強度の代表値である
ことを特徴とする請求項２に記載の表示装置。
【請求項４】
前記統計値は前記光検出部それぞれで検出した光の強度の平均値である
ことを特徴とする請求項２に記載の表示装置。
【請求項５】
前記表示画面の設置状態を検出する設置状態検出部と、
前記制御情報演算部は、前記設置状態検出部において、前記設置状態について前記導光板が何れか一方の光検出部の方向に偏って移動した状態となっていると判定された場合に、前記光検出部で検出した光の強度の情報の統計値を示す制御情報を演算する
ことを特徴とする請求項２から請求項４のいずれか一項に記載の表示装置。
【請求項６】
前記表示画面の設置状態を検出する設置状態検出部と、
前記制御情報演算部は、前記設置状態検出部において、前記設置状態について前記導光板が何れか一方の光検出部の方向に偏って移動した状態となっていると判定されていない場合には、前記光検出部のうちいずれか一つで検出した光の強度の情報を制御情報として制御部へ出力する
ことを特徴とする請求項２から請求項４のいずれか一項に記載の表示装置。
【請求項７】
前記光検出部は、前記導光板の中心を基準とした外縁部近傍の位置よりも前記光源から離れた位置に前記導光板の外縁近傍における対向する位置に設けられている
ことを特徴とする請求項１から請求項６のいずれか一項に記載の表示装置。
【請求項８】
前記光検出部が設けられた位置に前記導光板からの光を前記光検出部に向かって通す開口部と、
を備えることを特徴とする請求項１から請求項７のいずれか一項に記載の表示装置。  
【請求項９】
前記開口部が略長方形でその長辺が前記導光板の一辺と略平行に設けられている
ことを特徴とする請求項８に記載の表示装置。
【請求項１０】
光検出部が、表示画面を発光させる光源から離れた位置であって、少なくとも前記光源からの光を前記表示画面の前面全体に反映させる導光板の外縁近傍における対向する位置のそれぞれに設けられ、前記導光板から発光する光を検出し、
制御情報演算部が、前記光検出部それぞれで検出した光の強度の情報に基づいて前記表示画面の表示状態の制御情報を演算し、
表示状態制御部が、前記制御情報を用いて前記表示画面の表示状態を制御する
ことを特徴とする制御方法。
【請求項１１】
表示画面を発光させる光源から離れた位置であって、少なくとも前記光源からの光を前記表示画面の前面全体に反映させる導光板の外縁近傍における対向する位置のそれぞれに設けられた前記導光板から発光する光を検出する複数の光検出部を備えた表示装置のコンピュータを、
前記光検出部それぞれで検出した光の強度の情報に基づいて前記表示画面の表示状態の制御情報を演算する手段、
前記制御情報を用いて前記表示画面の表示状態を制御する手段、
として機能させることを特徴とするプログラム。
【発明の詳細な説明】
【技術分野】
【０００１】
本発明は、バックライトの輝度を検出する表示装置、制御方法及びプログラムに関する。
【背景技術】
【０００２】
液晶表示装置においてはその表示画面の背面にバックライトを配置してその光によって表示画面を照射し文字や映像などを表示するようになっている。このような表示装置において光源からの光を光検出部にて検出し、その検出した光に応じて光源の強さを制御することによって適正な表示状態を維持する技術が存在する。【０００３】
例えば特開平１０−２２２０８４号公報には、光検出部のユニットを表示装置背面側の反射シートに密着させて設置し、反射シートから漏れた光を検出できる光検出部とユーザが設定した輝度で光源が発光されるように光源を制御する手段が記載されている。この光検出部は、液晶パネル、導光板、反射シートなどが一体化して販売されることが多い表示装置において、取り付けが容易であってコストも安価にできることが記載されている。
【先行技術文献】
【特許文献】
【０００４】
【特許文献１】特開平１０−２２２０８４号公報
【発明の概要】
【発明が解決しようとする課題】
【０００５】
液晶表示装置には、形状が矩形であってバックライト光源を１つの辺に有しその光を導光板を用いて画面全体に広げることで表示画面全体を照射するエッジライトと呼ばれる方式が存在する。光源としては例えばＬＥＤが用いられる。このようなタイプの液晶表示装置においては液晶パネル、導光板、反射シートなどがシャーシの中に格納されて販売されることが多い。特許文献１には、シャーシに格納されていないタイプの液晶表示装置に光検出部のユニットを取り付ける方法が記載されている。特許文献１の方法をシャーシ付きの液晶表示装置に適用しようとするとシャーシに穴を開け、当該開口部に光検出部のユニットを取り付けることとなる。このようにすると開口部から光が漏れるため、ユーザが前面から表示画面を見た場合に開口部の辺りが暗くなるという問題があった。そこで導光板端部が位置するあたりのシャーシに開口部を設ければそのような問題は解決する。【０００６】
しかし表示装置には、回転可能なコンピュータ向けの液晶モニタやデジタルサイネージ向けディスプレイなど表示部を横長の状態（ランドスケープ）や縦長の状態（ポートレート）に切り替えて用いるものが存在する。図６は表示装置の回転における導光板と開口部の相対位置の関係を示したものである。このような表示装置の場合、導光板の端部に光検出部を設けると表示装置の回転に伴い導光板がその重力方向に動き、開口部と導光板との相対位置が変動する。そのことにより開口部に設けた光検出部で検出する光の強度にも変化が生じる。具体的には、導光板の端部には反射シートが設けられており反射率が高い。そのため表示装置を横長から縦長に切り替えた場合、図６の上側の光検出部は導光板端部での反射光を検出してしまい、横長の状態にあるときよりも強い光を検出してしまうことになる。ところで、導光板端部に設けられた開口部においてはこのような現象が生じるが、映像などが表示されている画面の大部分においては、表示装置を横長から縦長に切り替えても輝度などは変わらず同じ表示状態にある。しかし、光検出部が検出する光の強度が増減することで、画面の明るさなどを制御する機能が働き表示状態が安定しないという問題が生じる。【０００７】
そこでこの発明は、上述した課題を解決することができる表示装置、制御方法及びプログラムを提供することを目的としている。
【課題を解決するための手段】
【０００８】
本発明は、上述の課題を解決すべくなされたもので、表示画面を発光させる光源から離れた位置であって、少なくとも前記光源からの光を前記表示画面の前面全体に反映させる導光板の外縁近傍における対向する位置のそれぞれに設けられた、前記導光板から発光する光を検出する複数の光検出部と、前記光検出部それぞれで検出した光の強度の情報に基づいて前記表示画面の表示状態の制御情報を演算する制御情報演算部と、前記制御情報を用いて前記表示画面の表示状態を制御する表示状態制御部と、を備えることを特徴とする表示装置である。【０００９】
また本発明は、光検出部が、表示画面を発光させる光源から離れた位置であって、少なくとも前記光源からの光を前記表示画面の前面全体に反映させる導光板の外縁近傍における対向する位置のそれぞれに設けられ、前記導光板から発光する光を検出し、制御情報演算部が、前記光検出部それぞれで検出した光の強度の情報に基づいて前記表示画面の表示状態の制御情報を演算し、表示状態制御部が、前記制御情報を用いて前記表示画面の表示状態を制御することを特徴とする制御方法である。【００１０】
また本発明は、表示画面を発光させる光源から離れた位置であって、少なくとも前記光源からの光を前記表示画面の前面全体に反映させる導光板の外縁近傍における対向する位置のそれぞれに設けられた、前記導光板から発光する光を検出する複数の光検出部を備えた表示装置のコンピュータを、前記光検出部それぞれで検出した光の強度の情報に基づいて前記表示画面の表示状態の制御情報を演算する手段、前記制御情報を用いて前記表示画面の表示状態を制御する手段、として機能させることを特徴とするプログラムである。
【発明の効果】
【００１１】
本発明によれば、ユーザが表示装置の横長と縦長を切り替えて用いても暗くなったり、明るくなったりせず、安定して表示状態を維持することができるという効果が得られる。
【図面の簡単な説明】
【００１２】
【図１】本発明の第一実施形態による表示装置の最小構成を示す図である。
【図２】本発明の第一実施形態による表示装置の具体的な機能構成を示す図である。
【図３】本発明の第一実施形態による表示状態の制御フローである。
【図４】本発明の第二実施形態による表示装置の具体的な機能構成を示す図である。
【図５】本発明の第二実施形態による表示状態の制御フローである。
【図６】表示装置の設置状態によって導光板と開口部の相対位置が変化することを示す図である。
【発明を実施するための形態】
【００１３】
＜第一の実施形態＞
以下、本発明の第一の実施形態による表示装置を図面を参照して説明する。
図１は本発明の第一実施形態による表示装置の最小構成を示す図である。
この図において、符号１は表示装置である。図１に示す通り、表示装置１は少なくとも、導光板からの光の強度を検出する複数の光検出部である第一の光検出部１０１及び第二の光検出部１０２、当該光の強度を基に表示状態の制御に用いる制御情報を演算する制御情報演算部１０３、当該制御情報を基に表示装置の表示状態を制御する表示状態制御部１０５を備えている。第一の光検出部１０１及び第二の光検出部１０２は例えば輝度センサである。表示状態とは、表示画面の輝度や色度を意味している。
【００１４】
図２は、本発明の第一の実施形態による表示装置の具体的な構成を示す図である。
なお図１と同一の機能部や構成部には同一の符号を付して説明する。図２に示す通り、表示装置１は表示画面１０、その背面に導光板１１を備えている。表示画面１０は長方形で、ユーザは表示画面１０を横長（ランドスケープ）又は、縦長（ポートレート）に切り替えて使用することができる。また、導光板１１の底部には光源１２が備えられている。光源１２には例えばＬＥＤが用いられる。導光板１１は光源１２からの光を表示画面１０の前面全体に反映させて表示画面１０を発光させる。さらにシャーシ１３が導光板１１と光源１２を覆っている。シャーシ１３の背面側には、導光板１１からの光を第一の光検出部１０１及び第二の光検出部１０２に向かって通す開口部が存在する。具体的には光源１２が配置された辺の両端と接するそれぞれの辺に沿って穴が開いており、これが第一の開口部１４及び第二の開口部１５である。第一の開口部１４及び第二の開口部１５は、導光板１１の中心を基準とした外縁部近傍の位置よりも光源１２から離れた位置であって導光板１１の外縁近傍に設けられている。つまり第一の開口部１４及び第二の開口部１５は、光源が設けられた辺と相対する辺により近い位置に設けられている。第一の開口部１４及び第二の開口部１５が、光源１２からの光を直接検出することを防ぎ、導光板１１によって全面に反映された光の強度を検出するためである。
【００１５】
また、第一の開口部１４及び第二の開口部１５は互いに対向する位置に設けられている。表示装置１を縦長に設置した場合に一方の例えば第一の光検出部１０１が導光板１１の端部で反射した光を検出するようになった場合でも、他方の第二の光検出部１０２が検出する光の強度は変化しないようにするためである。さらに、第一の開口部１４及び第二の開口部１５は略長方形でその長辺はシャーシ１３内の導光板１１の各辺のうち、光源１２が配置された辺の両端と接する辺であって開口部に近い側の一辺と略平行である。このようにすると、例えば第一の光検出部１０１が検出する光の強度の変化は、第一の開口部１４と導光板１１の端部の相対位置によって線形に変化する。第一の光検出部１０１及び第二の光検出部１０２はそれぞれ第一の開口部１４及び第二の開口部１５の背面、つまり表示画面と反対側の面に備えられている。第一の光検出部１０１及び第二の光検出部１０２はそれぞれ第一の開口部１４及び第二の開口部１５を通ってくる光を検出して制御情報演算部１０３に光の強度の情報を出力する。
制御情報演算部１０３は第一の光検出部１０１及び第二の光検出部１０２からの入力値の統計値を演算し、その結果を表示状態制御部１０５に出力する。統計値とは平均値や重み付け平均値のことである。表示状態制御部１０５は入力情報を基に光源の明るさや表示画面のガンマ値などを制御する。例えば、入力情報が小さくなった場合、光源が継時劣化したと判断して光源への供給電流を増加する。
【００１６】
図２の装置において、ユーザが表示装置１を横長から縦長に切り替えた場合、上側に位置する一方の光検出部、例えば第一の光検出部１０１からの出力は２０％以上も変化してしまうことがある。そこで、本実施形態における表示装置１では制御情報演算部１０３において平均値を演算しその結果を表示状態の制御に用いる。
このようにすることで、表示装置１を縦長の状態で使用したときに表示状態制御部１０５が誤検出した光の強度に基づいて表示状態の制御を行うことを防ぐことができる。
【００１７】
図３は本発明の第一の実施形態による表示装置１の表示状態を制御する制御方法の処理フローを示す第一の図である。
なお、表示装置１にはあらかじめ制御情報と表示状態の関係が記録されているものとする。この制御情報と表示状態の関係はユーザによって随時変更することも可能である。まず、表示装置１が起動すると、第一の光検出部１０１及び第二の光検出部１０２が光の強度を検出する（ステップＳ１）。次に制御情報演算部１０３はその値から制御情報の統計値を演算する（ステップＳ２）。ここで統計値とは、平均値又は重み付け平均値である。表示状態制御部１０５はステップＳ２で演算した制御情報から上記の制御情報と表示状態の関係に基づいて光源１２への供給電流や表示画面１０の色度を調整し表示状態を制御する（ステップＳ３）。最後に表示状態制御部１０５は、ユーザからの終了要求などにより処理フローを終了するかどうかを判定する（ステップＳ４）。終了しない場合、表示状態制御部１０５はステップＳ１からの処理を繰り返す。
このようにして表示装置１の表示状態を制御情報に基づいて制御することができる。
【００１８】
なお、図２の装置において、制御情報演算部１０３で平均値を演算しその結果を表示状態の制御に用いた結果、ユーザが表示装置１を横長から縦長に切り替える前後での制御情報の変化を数％以下に抑えることができた。
【００１９】
＜第二の実施形態＞
図４は、本発明の第二の実施形態による表示装置の具体的な構成を示す図である。
なお図２と同一の機能部や構成部には同一の符号を付して説明する。
第二の実施形態による表示装置１は、第一の実施形態による表示画面１０、導光板１１、光源１２、シャーシ１３、第一の開口部１４、第二の開口部１５、第一の光検出部１０１、第二の光検出部１０２、制御情報演算部１０３、表示状態制御部１０５に加え、さらに第二の制御情報演算部１０３−２と設置状態検出部１０４を備えている。第二の実施形態においては、第一の光検出部１０１及び第二の光検出部１０２のそれぞれに対して制御情報演算部を設けている。すなわち第一の制御情報演算部１０３−１及び第二の制御情報演算部１０３−２である。なお、第二の実施形態においては、制御情報演算部１０３は第一の制御情報演算部１０３−１に置き換わっている。第一の制御情報演算部１０３−１は第一の光検出部１０１からの光の強度に関する情報を基に制御情報を演算しその結果を設置状態検出部１０４に出力する。また、第二の制御情報演算部１０３−２は第二の光検出部１０２からの光の強度に関する情報を基に制御情報を演算しその結果を設置状態検出部１０４に出力する。
【００２０】
設置状態検出部１０４は、加速度センサやスイッチによって表示装置１の設置状態が横長か縦長かを判定する。判定方法としては他に、第一の制御情報演算部１０３−１からの入力値と第二の制御情報演算部１０３−２からの入力値に乖離があるときは、導光板１１が何れかの光検出部の方向に偏って移動した結果であると認識して表示装置１が縦長に設置されていると判定し、そうでない場合は横長に設置されていると判定する方法でも良い。設置状態検出部１０４は、判定の結果によって異なる値を制御情報として表示状態制御部１０５に出力する。具体的には、判定の結果が横長であれば設置状態検出部１０４は、第一の制御情報演算部１０３−１又は第二の制御情報演算部１０３−２からの入力値のうち、あらかじめ定められた方を代表値として表示状態制御部１０５に出力する。一方、判定の結果が縦長であれば設置状態検出部１０４は、第一の制御情報演算部１０３−１及び第二の制御情報演算部１０３−２からの入力値を使って統計値を演算しその結果を表示状態制御部１０５に出力する。ここで統計値とは平均値や重み付け平均値のことである。
このようにすることで、表示装置１の設置状態によって表示状態が明るくなったり暗くなったりせず、安定して表示状態を維持することが可能になる。
【００２１】
図５は本発明の第二の実施形態による表示装置１の表示状態を制御する制御方法の処理フローを示す第一の図である。
まず、表示装置１が起動すると、第一の光検出部１０１及び第二の光検出部１０２が光の強度を検出する（ステップＳ１）。次に第一の制御情報演算部１０３−１は第一の光検出部１０１からの入力に対し制御情報を演算する（ステップＳ２）。同様に第二の制御情報演算部１０３−２は第二の光検出部１０２からの入力に対し制御情報を演算する（ステップＳ２）。続いて設置状態検出部１０４がセンサなどにより表示装置１の設置状態を判定する（ステップＳ３）。判定の結果が横長であれば、設置状態検出部１０４は、第一の制御情報演算部１０３−１又は第二の制御情報演算部１０３−２からの入力値のうち定められた一方を用いることを決定する（ステップ４）。ステップ４では第一の制御情報演算部１０３−１及び第二の制御情報演算部１０３−２からの入力値の平均値や重み付け平均値を演算しても良い。一方、判定の結果が縦長であれば、設置状態検出部１０４は、第一の制御情報演算部１０３−１及び第二の制御情報演算部１０３−２からの入力値の統計値を演算する（ステップＳ５）。表示状態制御部１０５は設置状態検出部１０４から入力された制御情報を用いて表示装置１の表示状態を制御する（ステップＳ６）。最後に表示状態制御部１０５は、ユーザからの終了要求などにより処理フローを終了するかどうかを判定する（ステップＳ７）。終了しない場合、表示状態制御部１０５はステップＳ１からの処理を繰り返す。
【００２２】
なお、表示装置１の表示画面の形状は長方形でなくても構わない。例えば正方形や円形であっても構わない。第二の実施形態におけるステップＳ４の第一の制御情報演算部１０３−１又は第二の制御情報演算部１０３−２からの入力値のうち定められた一方を用いるとあるところはこれら２つの値の平均値や重み付け平均値を演算しても構わない。また、表示装置１の表示画面の形状が矩形である場合、第一の開口部１４及び第二の開口部１５や第一の光検出部１０１及び第二の光検出部１０２は、光源と相対する辺上に設けられていても良い。さらに統計値を演算する手段は平均値や重み付け平均値でなくても良い。
【００２３】
なお、表示装置１は、内部にコンピュータを有している。そして上述した表示装置１の各処理の過程はプログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ（Ｃｏｍｐａｃｔ  Ｄｉｓｋ  Ｒｅａｄ  Ｏｎｌｙ  Ｍｅｍｏｒｙ）又は半導体メモリなどをいう。また、このコンピュータプログラムを通信回線によってコンピュータに配信し、この配信を受けたコンピュータが当該プログラムを実行するようにしても良い。
【００２４】
以上、この発明の実施形態について図面を参照して詳述してきたが、具体的な構成はこの実施形態に限られるものではなく、この発明の要旨を逸脱しない範囲の設計等も含まれる。
【符号の説明】
【００２５】
１・・・表示装置
１０・・・表示画面
１０１・・・第一の光検出部
１０２・・・第二の光検出部
１０３・・・制御情報演算部
１０３−１・・・第一の制御情報演算部
１０３−２・・・第二の制御情報演算部
１０４・・・設置状態検出部
１０５・・・表示状態制御部
１１・・・導光板
１２・・・光源
１３・・・シャーシ
１４・・・第一の開口部
１５・・・第二の開口部
【図１】
2014188534.tif 000003
【図２】
2014188534.tif 000004
【図３】
2014188534.tif 000005
【図４】
2014188534.tif 000006
【図５】
2014188534.tif 000007
【図６】
2014188534.tif 000008
【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
表示画面を発光させる光源から離れた位置であって、少なくとも前記光源からの光を前記表示画面の前面全体に反映させる導光板の外縁近傍であって、前記導光板の各辺のうち前記光源が設けられた辺の各端に接する各辺における互いに対向する位置に設けられた、前記導光板から発光する光を検出する複数の光検出部と、
前記光検出部それぞれで検出した光の強度の情報に基づいて前記表示画面の表示状態の制御情報を演算する制御情報演算部と、
前記制御情報を用いて前記表示画面の表示状態を制御する表示状態制御部と、
を備えることを特徴とする表示装置。
【請求項２】
前記制御情報演算部は、前記光検出部で検出した光の強度の情報の統計値を示す制御情報を演算する
ことを特徴とする請求項１に記載の表示装置。
【請求項３】
前記統計値は前記光検出部それぞれで検出した光の強度の代表値である
ことを特徴とする請求項２に記載の表示装置。
【請求項４】
前記統計値は前記光検出部それぞれで検出した光の強度の平均値である
ことを特徴とする請求項２に記載の表示装置。
【請求項５】
表示画面を発光させる光源から離れた位置であって、少なくとも前記光源からの光を前記表示画面の前面全体に反映させる導光板の外縁近傍における対向する位置のそれぞれに設けられた、前記導光板から発光する光を検出する複数の光検出部と、
前記光検出部それぞれで検出した光の強度の情報に基づいて前記表示画面の表示状態の制御情報を演算する制御情報演算部と、
前記制御情報を用いて前記表示画面の表示状態を制御する表示状態制御部と、
前記表示画面の設置状態を検出する設置状態検出部と、を備え、
前記制御情報演算部は、前記設置状態検出部において、前記設置状態について前記導光板が何れか一方の光検出部の方向に偏って移動した状態となっていると判定された場合に、前記光検出部で検出した光の強度の情報の統計値を示す制御情報を演算する
ことを特徴とする表示装置。
【請求項６】
表示画面を発光させる光源から離れた位置であって、少なくとも前記光源からの光を前記表示画面の前面全体に反映させる導光板の外縁近傍における対向する位置のそれぞれに設けられた、前記導光板から発光する光を検出する複数の光検出部と、
前記光検出部それぞれで検出した光の強度の情報に基づいて前記表示画面の表示状態の制御情報を演算する制御情報演算部と、
前記制御情報を用いて前記表示画面の表示状態を制御する表示状態制御部と、
前記表示画面の設置状態を検出する設置状態検出部と、を備え、
前記制御情報演算部は、前記設置状態検出部において、前記設置状態について前記導光板が何れか一方の光検出部の方向に偏って移動した状態となっていると判定されていない場合には、前記光検出部のうちいずれか一つで検出した光の強度の情報を制御情報として前記表示状態制御部へ出力する
ことを特徴とする表示装置。
【請求項７】
前記光検出部は、前記導光板の中心を基準とした外縁部近傍の位置よりも前記光源から離れた位置に前記導光板の外縁近傍における対向する位置に設けられている
ことを特徴とする請求項１から請求項６のいずれか一項に記載の表示装置。
【請求項８】
前記光検出部が設けられた位置に前記導光板からの光を前記光検出部に向かって通す開口部と、
を備えることを特徴とする請求項１から請求項７のいずれか一項に記載の表示装置。  
【請求項９】
前記開口部が略長方形でその長辺が前記導光板の一辺と略平行に設けられている
ことを特徴とする請求項８に記載の表示装置。
【請求項１０】
光検出部が、表示画面を発光させる光源から離れた位置であって、少なくとも前記光源からの光を前記表示画面の前面全体に反映させる導光板の外縁近傍であって、前記導光板の各辺のうち前記光源が設けられた辺の各端に接する各辺における互いに対向する位置に設けられ、前記導光板から発光する光を検出し、
制御情報演算部が、前記光検出部それぞれで検出した光の強度の情報に基づいて前記表示画面の表示状態の制御情報を演算し、
表示状態制御部が、前記制御情報を用いて前記表示画面の表示状態を制御する
ことを特徴とする制御方法。
【請求項１１】
表示画面を発光させる光源から離れた位置であって、少なくとも前記光源からの光を前記表示画面の前面全体に反映させる導光板の外縁近傍であって、前記導光板の各辺のうち前記光源が設けられた辺の各端に接する各辺における互いに対向する位置に設けられた前記導光板から発光する光を検出する複数の光検出部を備えた表示装置のコンピュータを、
前記光検出部それぞれで検出した光の強度の情報に基づいて前記表示画面の表示状態の制御情報を演算する手段、
前記制御情報を用いて前記表示画面の表示状態を制御する手段、
として機能させることを特徴とするプログラム。
【手続補正２】
【補正対象書類名】明細書
【補正対象項目名】０００８
【補正方法】変更
【補正の内容】
【０００８】
本発明は、上述の課題を解決すべくなされたもので、表示画面を発光させる光源から離れた位置であって、少なくとも前記光源からの光を前記表示画面の前面全体に反映させる導光板の外縁近傍であって、前記導光板の各辺のうち前記光源が設けられた辺の各端に接する各辺における互いに対向する位置に設けられた、前記導光板から発光する光を検出する複数の光検出部と、前記光検出部それぞれで検出した光の強度の情報に基づいて前記表示画面の表示状態の制御情報を演算する制御情報演算部と、前記制御情報を用いて前記表示画面の表示状態を制御する表示状態制御部と、を備えることを特徴とする表示装置である。
【手続補正３】
【補正対象書類名】明細書
【補正対象項目名】０００９
【補正方法】変更
【補正の内容】
【０００９】
また本発明は、光検出部が、表示画面を発光させる光源から離れた位置であって、少なくとも前記光源からの光を前記表示画面の前面全体に反映させる導光板の外縁近傍であって、前記導光板の各辺のうち前記光源が設けられた辺の各端に接する各辺における互いに対向する位置に設けられ、前記導光板から発光する光を検出し、制御情報演算部が、前記光検出部それぞれで検出した光の強度の情報に基づいて前記表示画面の表示状態の制御情報を演算し、表示状態制御部が、前記制御情報を用いて前記表示画面の表示状態を制御することを特徴とする制御方法である。
【手続補正４】
【補正対象書類名】明細書
【補正対象項目名】００１０
【補正方法】変更
【補正の内容】
【００１０】
また本発明は、表示画面を発光させる光源から離れた位置であって、少なくとも前記光源からの光を前記表示画面の前面全体に反映させる導光板の外縁近傍であって、前記導光板の各辺のうち前記光源が設けられた辺の各端に接する各辺における互いに対向する位置に設けられた、前記導光板から発光する光を検出する複数の光検出部を備えた表示装置のコンピュータを、前記光検出部それぞれで検出した光の強度の情報に基づいて前記表示画面の表示状態の制御情報を演算する手段、前記制御情報を用いて前記表示画面の表示状態を制御する手段、として機能させることを特徴とするプログラムである。
【国際調査報告】
2014188534.tif 000009
2014188534.tif 000010
2014188534.tif 000011
2014188534.tif 000012